(57)【要約】【課題】熟練度の有無に関わらず設置する段板の寸法を迅速簡単に調整し、段板に簡便に割り出しでき、材料を浪費せず省資源を可能とする。【解決手段】木製回り階段用段板定規１は、直角をなす第１外辺５及び第２外辺６を有し、段板厚さより薄い板体である角部２と、一端が角部２に連接される第１伸縮基部７と、第１伸縮基部７と長手方向摺動可能で、外側辺が第１伸縮辺９とされ、貫通雌ねじ部１０を有する第１伸縮摺動部８とで全体として長尺体に形成され、つまみねじ１１によって長さＬ１調整可能な第１伸縮部３と、同様に第２伸縮基部１２及び第２伸縮摺動部１３、第２伸縮辺１４によって伸縮自在の長尺体とされ、つまみねじ１１によって長さＬ２調整可能な第２伸縮部４とで構成され、第２伸縮摺動部１３両端の斜辺１５が長手軸と６０°となる。【選択図】  図１
2004316376.tif 000002
【特許請求の範囲】
【請求項１】
平面形状三角形の段板に使用される段板定規であり、
直角な角度ａを形成する２辺としての第１外辺及び第２外辺を有し、前記段板厚さより薄い板体である角部と、
前記段板厚さより薄く、係止部材によって長さ調整可能であって、伸縮自在の長尺体であり、一端が前記角部の第１外辺側に連接され、他端が自由端であり、外側の第１伸縮辺が前記第１外辺の延長線に位置する第１伸縮部と、
前記段板厚さより薄く、係止部材によって長さ調整可能であって、伸縮自在の長尺体であり、一端が前記角部の第２外辺側に連接され、他端が自由端であり、外側の第２伸縮辺が前記第２外辺の延長線に位置する第２伸縮部とで構成され、
前記角部，第１伸縮辺，第２伸縮辺の一角二辺によって形成される三角形が前記平面形状三角形に対応できることを特徴とする木製回り階段用段板定規。
【請求項２】
上記第１，第２伸縮部は、一端が上記角部に連接され、他端が自由端とされる断面長方形の第１，第２伸縮基部と、
前記伸縮基部の外周において、長手方向摺動可能に係合する角筒状であり、外側辺が上記第１，第２伸縮辺とされ、表面上に少なくとも一つの貫通雌ねじ部が設けられる第１，第２伸縮摺動部とで構成され、前記第２伸縮摺動部が両端の斜辺を長手軸と６０°の傾斜をなして台形状に形成されることを、
上記係止部材は、つまみねじを前記貫通雌ねじ部に係合させることで構成され、
前記つまみねじがねじ込まれて前記伸縮基部を押圧し、前記伸縮摺動部を前記伸縮基部の任意位置に係止し、前記伸縮部の長さを任意に調節できることを、
特徴とする請求項１に記載される木製回り階段用段板定規。
【請求項３】
平面形状四角形の段板に使用される段板定規であり、
直角な角度ｃを形成する２辺としての第１外辺及び第２外辺を有し、前記段板厚さより薄い板体である第１角部と、
１２０°の角度ｂを形成する２辺としての第３外辺及び第４外辺を有し、前記段板厚さより薄い板体である第２角部と、
前記段板厚さより薄く、係止部材によって長さ調整可能であって、伸縮自在の長尺体であり、一端が前記第２角部の第３外辺側に連接され、他端が自由端であり、外側の第１伸縮辺が前記第３外辺の延長線に位置する第１伸縮部と、
前記段板厚さより薄く、係止部材によって長さ調整可能であって、伸縮自在の長尺体であり、一端が前記第１角部の第２外辺側に連接され、他端が自由端であり、外側の第２伸縮辺が前記第２外辺の延長線に位置する第２伸縮部と、
前記段板厚さより薄く、係止部材によって長さ調整可能であって、伸縮自在の長尺体であり、一端が前記第１角部の第１外辺側に連接され、他端が前記第２角部の第４外辺側に連接され、外側の第３伸縮辺が前記第１外辺と第４外辺との間において同一線上に位置する第３伸縮部とで構成され、
前記第１，第２角部，第１伸縮辺，第２伸縮辺，第３伸縮辺の二角三辺によって形成される四角形が前記平面形状四角形に対応できることを特徴とする木製回り階段用段板定規。
【請求項４】
上記第１，第２伸縮部は、一端が上記第２，第１角部に連接され、他端が自由端とされる断面長方形の第１，第２伸縮基部と、
前記第１、第２伸縮基部の外周において、長手方向摺動可能に係合する角筒状であり、外側辺が上記第１，第２伸縮辺とされ、表面上に少なくとも一つの貫通雌ねじ部が設けられる第１，第２伸縮摺動部とで構成され、第２伸縮摺動部が両端の斜辺を長手軸と１２０°の傾斜をなして台形状に形成されることを、
上記第３伸縮部は、一端が上記第１角部の第１外辺側に連接されて他端が自由端とされる断面長方形の伸縮上基部と、一端が上記第２角部の第４外辺側に連接されて他端が自由端とされる断面長方形の伸縮下基部と、
一直線上に配置される前記伸縮上基部及び伸縮下基部の外周において、長手方向摺動可能に係合する角筒状であり、外側辺が上記第３伸縮辺とされ、表面上に複数の貫通雌ねじ部が設けられる第３伸縮摺動部とで、構成されることを、
上記係止部材は、つまみねじを前記貫通雌ねじ部に係合させることで構成され、前記つまみねじがねじ込まれて前記第１伸縮基部，第２伸縮基部，伸縮上基部，伸縮下基部を押圧し、前記各伸縮摺動部を前記各伸縮基部の任意位置に係止し、前記第１，第２，第３伸縮部の長さを任意に調節できることを、
特徴とする請求項３に記載される木製回り階段用段板定規。
【請求項５】
上記角部の第１外辺と第２外辺とで形成される角度がａ°であり、
前記角度ａ°は、９０°方向変換の回り階段において、均等に分割されるＮ段のｎ段目の場合、ａ＝９０（ｎ−１）／Ｎ＋９０、但しＮ，ｎは整数であり、ｎ≦Ｎ／２であることを、
特徴とする請求項１に記載される木製回り階段用段板定規。
【請求項６】
上記第２角部の第３外辺と第４外辺とで形成される角度がｂ°であり、
前記角度ｂ°は、９０°方向変換の回り階段において、均等に分割されるＮ段の中央段の場合、ｂ＝１３５−（４５／Ｎ）、但しＮは整数かつ奇数であり、３≦Ｎであることを、
特徴とする請求項３に記載される木製回り階段用段板定規。
【請求項７】
上記角部の第１外辺と第２外辺とで形成される角度ａが可変であることを、特徴とする請求項１又は２に記載される木製回り階段用段板定規。
【請求項８】
上記第２角部の第３外辺と第４外辺とで形成される角度ｂと、上記第１角部の第１外辺と第２外辺とで形成される角度ｃとに関し、少なくとも前記角度ｂが可変であることを、特徴とする請求項３又は４に記載される木製回り階段用段板定規。
【発明の詳細な説明】
【０００１】
【発明の属する技術分野】
本発明は、木製回り階段に取り付ける段板を、施工階段の設置の実寸法に合わせるため使用する段板定規に関する。
【０００２】
【従来の技術】
一般住宅等に広く設置される階段の一つとして木製階段があり、形状から分類される主な木製階段の一つとして、例えば９０°方向又は１８０°方向等に向きを変える回り階段がある。木製回り階段では、使用材料が木材であるため段板を取り付ける段階において、段板設置箇所に多少の寸法狂いが生じている。この寸法狂いを修正しつつ、段板を取付ける従来の施工方法としては、ベニヤ板等の型板を用いる方法、及び寸法の大きな段板を直に寸法合わせする方法がある。すなわち、型板を用いる方法は、図１０に示すように、段板取り付けに必要な段板取付溝７２が柱７３，側板７４の所定位置に加工済みとなっている状態において、階段幅に合わせた型板７５を寸法合わせしつつ段板取付溝７２に入れ、けこみ板取付溝７６を示す位置を型板７５に割り出す。その後、型板７５を取り出して、寸法合わせ前の段板に重ね合わせ、型板７５の割り出しを使って切断し、設置箇所と同じ寸法となった段板が出来上がる。この段板が側板７４にはめ込まれて段板設置とされる。また、大きな段板を寸法合わせする方法は、設置寸法より大きめの段板を（図示省略）、前述の各取付溝７２，７６の直接採寸に合わせて設置寸法までカットして、段板の寸法を設置箇所の寸法に合わせて段板を完成させる。
【０００３】
また、特許文献１に示すように、段板の平面形状を形成する複数の定規板からなる木工用定規が開示され、熟練を要せずして段板の形状を確保し、更に、特許文献２にて開示される建築用定規は、一枚板に対して段板を簡単に割り出しできるようにしている。
【０００４】
【特許文献１】
実開昭５３−６０３２７号公報（第４図、第５図、第６図）
【特許文献２】
実開昭５３−８２５２３号公報（第２図）
【０００５】
【発明が解決しようとする課題】
従来の型板を用いる方法では、型板の余剰部分もあって、型板自体の寸法合わせだけでなく、段板への割り出し作業が煩雑となる問題がある。しかも、段板一枚ごとにベニヤ板等を使用するため、材料を浪費し省資源に反するだけでなく、かさばって現場を狭くしてしまう問題もある。また、段板を直接寸法合わせする方法では、熟練度によって個人差が大きく効率的に施工できないだけでなく、熟練者にとっても寸法調整自体が煩雑となる問題がある。他方、特許文献１及び２に開示された各定規では、概略寸法の段板の形状を割り出すことができるだけであり、設置寸法に正確に調整することができない。
【０００６】
本発明は以上の問題に鑑みてなされたものであり、その目的とするところは、熟練度の有無に関わらず設置する段板の寸法を迅速，簡単，正確に調整し、段板に簡便に割り出しでき、材料を浪費せず省資源となる木製回り階段用段板定規を提供することである。
【０００７】
【課題を解決するための手段】
上記目的を達成するために請求項１に係る木製回り階段用段板定規は、
平面形状三角形の段板に使用される段板定規であり、
直角な角度ａを形成する２辺としての第１外辺及び第２外辺を有し、前記段板厚さより薄い板体である角部と、
前記段板厚さより薄く、係止部材によって長さ調整可能であって、伸縮自在の長尺体であり、一端が前記角部の第１外辺側に連接され、他端が自由端であり、外側の第１伸縮辺が前記第１外辺の延長線に位置する第１伸縮部と、
前記段板厚さより薄く、係止部材によって長さ調整可能であって、伸縮自在の長尺体であり、一端が前記角部の第２外辺側に連接され、他端が自由端であり、外側の第２伸縮辺が前記第２外辺の延長線に位置する第２伸縮部とで構成され、
前記角部，第１伸縮辺，第２伸縮辺の一角二辺によって形成される三角形が前記平面形状三角形に対応できる。
また、請求項２に係る木製回り階段用段板定規は、請求項１に対して、
上記第１，第２伸縮部は、一端が上記角部に連接され、他端が自由端とされる断面長方形の第１，第２伸縮基部と、
前記伸縮基部の外周において、長手方向摺動可能に係合する角筒状であり、外側辺が上記第１，第２伸縮辺とされ、表面上に少なくとも一つの貫通雌ねじ部が設けられる第１，第２伸縮摺動部とで構成され、前記第２伸縮摺動部が両端の斜辺を長手軸と６０°の傾斜をなして台形状に形成されることを、
上記係止部材は、つまみねじを前記貫通雌ねじ部に係合させることで構成され、
前記つまみねじがねじ込まれて前記伸縮基部を押圧し、前記伸縮摺動部を前記伸縮基部の任意位置に係止し、前記伸縮部の長さを任意に調節できる。
【０００８】
また、請求項３に係る木製回り階段用段板定規は、
平面形状四角形の段板に使用される段板定規であり、
直角な角度ｃを形成する２辺としての第１外辺及び第２外辺を有し、前記段板厚さより薄い板体である第１角部と、
１２０°の角度ｂを形成する２辺としての第３外辺及び第４外辺を有し、前記段板厚さより薄い板体である第２角部と、
前記段板厚さより薄く、係止部材によって長さ調整可能であって、伸縮自在の長尺体であり、一端が前記第２角部の第３外辺側に連接され、他端が自由端であり、外側の第１伸縮辺が前記第３外辺の延長線に位置する第１伸縮部と、
前記段板厚さより薄く、係止部材によって長さ調整可能であって、伸縮自在の長尺体であり、一端が前記第１角部の第２外辺側に連接され、他端が自由端であり、外側の第２伸縮辺が前記第２外辺の延長線に位置する第２伸縮部と、
前記段板厚さより薄く、係止部材によって長さ調整可能であって、伸縮自在の長尺体であり、一端が前記第１角部の第１外辺側に連接され、他端が前記第２角部の第４外辺側に連接され、外側の第３伸縮辺が前記第１外辺と第４外辺との間において同一線上に位置する第３伸縮部とで構成され、
前記第１，第２角部，第１伸縮辺，第２伸縮辺，第３伸縮辺の二角三辺によって形成される四角形が前記平面形状四角形に対応できる。
また、請求項４に係る木製回り階段用段板定規は、請求項３に対して、
上記第１，第２伸縮部は、一端が上記第２，第１角部に連接され、他端が自由端とされる断面長方形の第１，第２伸縮基部と、
前記第１、第２伸縮基部の外周において、長手方向摺動可能に係合する角筒状であり、外側辺が上記第１，第２伸縮辺とされ、表面上に少なくとも一つの貫通雌ねじ部が設けられる第１，第２伸縮摺動部とで構成され、第２伸縮摺動部が両端の斜辺を長手軸と１２０°の傾斜をなして台形状に形成されることを、
上記第３伸縮部は、一端が上記第１角部の第１外辺側に連接されて他端が自由端とされる断面長方形の伸縮上基部と、一端が上記第２角部の第４外辺側に連接されて他端が自由端とされる断面長方形の伸縮下基部と、
一直線上に配置される前記伸縮上基部及び伸縮下基部の外周において、長手方向摺動可能に係合する角筒状であり、外側辺が上記第３伸縮辺とされ、表面上に複数の貫通雌ねじ部が設けられる第３伸縮摺動部とで、構成されることを、
上記係止部材は、つまみねじを前記貫通雌ねじ部に係合させることで構成され、前記つまみねじがねじ込まれて前記第１伸縮基部，第２伸縮基部，伸縮上基部，伸縮下基部を押圧し、前記各伸縮摺動部を前記各伸縮基部の任意位置に係止し、前記第１，第２，第３伸縮部の長さを任意に調節できる。
【０００９】
また、請求項５に係る木製回り階段用段板定規は、請求項１に対して、
上記角部の第１外辺と第２外辺とで形成される角度がａ°であり、
前記角度ａ°は、９０°方向変換の回り階段において、均等に分割されるＮ段のｎ段目の場合、ａ＝９０（ｎ−１）／Ｎ＋９０、但しＮ，ｎは整数であり、ｎ≦Ｎ／２である。
また、請求項６に係る木製回り階段用段板定規は、請求項３に対して、
上記第２角部の第３外辺と第４外辺とで形成される角度がｂ°であり、
前記角度ｂ°は、９０°方向変換の回り階段において、均等に分割されるＮ段の中央段の場合、ｂ＝１３５−（４５／Ｎ）、但しＮは整数かつ奇数であり、３≦Ｎである。
【００１０】
また、請求項７に係る木製回り階段用段板定規は、請求項１又は２に対して、
上記角部の第１外辺と第２外辺とで形成される角度ａが可変である。
また、請求項８に係る木製回り階段用段板定規は、請求項３又は４に対して、
上記第２角部の第３外辺と第４外辺とで形成される角度ｂと、上記第１角部の第１外辺と第２外辺とで形成される角度ｃとに関し、少なくとも前記角度ｂが可変である。
【００１１】
【発明の実施の形態】
以下に、図面を参照して、先ず請求項１の下位概念である請求項２に対応する第１実施形態の段板定規１を説明する。図１に示す段板定規１は、平面形状三角形の段板に使用し、角部２と第１伸縮部３及び第２伸縮部４を主構成とする。この三角形の段板としては、図３に示す回り階段６１の第１段６２と第３段６３が対応している。回り階段６１は、右回り９０°であって、９０°を３等分する３段の階段である。なお、中央段６４に対しては、後述する第２実施形態の段板定規２１が対応する。
【００１２】
角部２は、直角な角度ａを形成する第１外辺５及び第２外辺６を有し、段板厚さより薄い厚さを有する板体である（図１，図２参照）。第１伸縮部３は、図１及び図２に示すように、第１伸縮基部７と第１伸縮摺動部８とで構成される。第１伸縮基部７は、一端が角部２に連接され、他端が自由端とされる断面長方形である。角部２との連接は、差込式の組立構造又は接着した固定構造、若しくは一体成形による一体構造と言った各種の構造を採用できる。以下の各連接も同様である。第１伸縮摺動部８は、第１伸縮基部７の外周において、長手方向摺動可能に係合する角筒状であり、この角筒厚さが段板厚さより薄く、外側辺が第１外辺５の延長線に位置する第１伸縮辺９とされ、自由端である一端が長手軸と直角をなす調整辺８ａとなっている。また、第１伸縮摺動部８の表面上に少なくとも一つの貫通雌ねじ部１０が設けられる。図２に示す貫通雌ねじ部１０には、つまみねじ１１が係合され、ねじ込まれて第１伸縮基部７を押圧し、第１伸縮摺動部８を第１伸縮基部７の任意位置に係止し、第１伸縮部３の長さＬ１を任意に調節できる。つまみねじ１１は、一般的なねじの頭部を指にて摘めるように平板状に形成したものであり、つまみ可能であればちょうボルト（ＪＩＳ  Ｂ  １１８４）等の他の周知技術を使用できる。このように、第１伸縮部３は、段板厚さより薄く、一端が角部２に連接され、他端（調整辺８ａ）が自由端となり、係止部材であるつまみねじ１１によって長さＬ１調整可能かつ伸縮自在な長尺体となる。
【００１３】
第２伸縮部４も前述の第１伸縮部３と基本構成が同じであるため詳細な説明を省略するが、第２伸縮基部１２及び摺動可能な第２伸縮摺動部１３とで構成され、外側の第２伸縮辺１４が第２外辺６の延長線に位置し、貫通雌ねじ部１０とつまみねじ１１を有する。第２伸縮摺動部１３は、両端の斜辺１５，１５が長手軸と６０°の傾斜をなして台形状に形成される。従って、第２伸縮部４も第１伸縮部３と同様に、段板厚さより薄く、一端が角部２に連接され、他端（斜辺１５）が自由端となり、係止部材であるつまみねじ１１によって長さＬ２調整可能かつ伸縮自在な長尺体となる。そして、角部２の角度ａ，第１伸縮辺９，第２伸縮辺１４の一角二辺によって形成される三角形が、平面形状三角形の第１段６２，第２段６３の段板に対応できる。
【００１４】
角部２、第１伸縮部３及び第２伸縮部４に使用される材料としては、アルミニウム材、ステンレス鋼等の各種金属類、又は強化プラスチックであるが、これに限定されることなく、曲がり，反り、狂い等なく，機械的強度を有し、熱膨張等の影響の少ない定規に適する素材であれば他の汎用・新材料を利用できる。例えば、直定規（ＪＩＳ  Ｂ  ７５１４）、金属製直尺（ＪＩＳ  Ｂ  ７５１６）等に規定する鋼又はステンレス鋼等の材料である。以下後述する他の実施形態においても同様である。
【００１５】
次に、請求項３の下位概念である請求項４に対応する第２実施形態の段板定規２１について説明する。図４に示すように、段板定規２１は、平面形状四角形の段板に使用し、第１角部２２，第２角部２３，第１伸縮部２４，第２伸縮部２５及び第３伸縮部２６を主構成とする。この四角形の段板としては、図３に示す回り階段６１の中央段６４が対応する。
【００１６】
第１角部２２は、直角な角度ｃを形成する第１外辺２７及び第２外辺２８を有し、段板厚さより薄い板体である。第２角部２３は１２０°の角度ｂを形成する第３外辺２９及び第４外辺３０を有し、段板厚さより薄い板体である。第１伸縮部２４及び第２伸縮部２５は、前述第１実施形態の第１，第２伸縮部３，４と基本構成が同じであるため詳細な説明を省略するが、第１，第２伸縮基部３１，３３及び摺動可能な第１，第２伸縮摺動部３２，３４とで構成され、外側の第１，第２伸縮辺３５，３６がそれぞれ第３，第２外辺２９，２８の延長線に位置し、貫通雌ねじ部１０とつまみねじ１１を有する。第１伸縮摺動部３２の自由端である一端が、長手軸と直角をなす調整辺３２ａとされる。第２伸縮摺動部３４は、両端の斜辺３７，３７が長手軸と１２０°の傾斜をなして台形状に形成される。従って、第１，第２伸縮部２４，２５は、段板厚さより薄く、一端が第１，第２角部２２，２３にそれぞれ連接され、他端（調整辺３２ａ，斜辺３７）が自由端となり、係止部材であるつまみねじ１１によって長さＬ１，Ｌ２調整可能かつ伸縮自在な長尺体となる。
【００１７】
第３伸縮部２６は、伸縮上基部３８と伸縮下基部３９及び第３伸縮摺動部４０とで構成される。伸縮上基部３８は、一端が第１角部２２に連接されて他端が自由端とされる断面長方形であり、伸縮下基部３９は一端が第２角部２３に連接されて他端が自由端とされる断面長方形である。第３伸縮摺動部４０は、一直線上に配置される伸縮上基部３８及び伸縮下基部３９の外周において、長手方向摺動可能に係合する角筒状に形成され、この角筒が段板厚より薄く、角筒の外側辺が第１，第４外辺２７，３０の間において同一線上に位置する第３伸縮辺４１とされる。第３伸縮摺動部４０の両端形状は、長手軸と直角をなす端面に形成される。また、第３伸縮摺動部４０の表面上に複数の貫通雌ねじ部１０が設けられ、第３伸縮摺動部４０を中間体として任意位置に摺動させて長さＬ３を可変とし、貫通雌ねじ部１０に対してつまみねじ１１をねじ込むことによって係止できる。従って、第３伸縮部２６は、段板厚さより薄く、第１，第２角部２２，２３の間に位置して、係止部材であるつまみねじ１１によって長さＬ３調整可能かつ伸縮自在な長尺体となる。また、以上より、第１角部２２の角度ｃ，第２角部２３の角度ｂ，第１伸縮辺３５，第２伸縮辺３６、第３伸縮辺４１の二角三辺によって形成される四角形が、平面形状四角形の中央段６４の段板に対応できる。
【００１８】
なお、各伸縮基部７，１２，３１，３３，３８，３９と、各伸縮摺動部８，１３，３２，３４，４０とが、互換可能な共通寸法とされれば、第２実施形態の段板定規２１の第１角部２２，第１，第２伸縮摺動部３２，３４は、第１実施形態の角部２，第１，第２伸縮摺動部８，１３とそれぞれ共用可能である。また、第１実施形態の第２伸縮摺動部１３と第２実施形態の第２，第３伸縮摺動部３４，４０との間でも相互に共用できる。この共用によって、個別に構成品を揃える必要なく、構成品の点数を少なくできる。
【００１９】
次に、上述した第１実施形態及び第２実施形態の段板定規１，２１の使用方法について説明する。この段板定規１，２１は、図３に示す９０°３等分の回り階段用であり、第１実施形態の段板定規１を第１段６２及び第３段６３に対して用いる。先ず、第１段６２に対しては、図５（イ）に示すように、柱７３及び側板７４の段板取付溝７２の中に、段板厚さより薄い段板定規１を入れる。このとき、第１伸縮部３の調整辺８ａを柱側７３の段板取付溝７２へ合わせ、第２伸縮部４の斜辺１５をけこみ板取付溝７６へ合わせる。そして、第１，第２伸縮部３，４を伸縮させて、角度ａと第１，第２伸縮辺９，１４とによって形成される三角形を、設置される段板６２と同じ寸法に簡単に調整できる。そして、つまみねじ１１によって各伸縮部３，４の長さＬ１，Ｌ２を固定し、段板定規１の寸法調整が終了する。段板取付溝７２から取り出した段板定規１が、カット前の段板に重ね合わされて、割り出し後に余分な部分がカットされれば、正確な設置寸法の第１段の段板６２が簡単に出来上がる。なお、第１伸縮部３の自由端である調整辺８ａは、直角に形成されているため、柱側７３の段板取付溝７２と正確に当接でき、寸法合わせに十分対応できる。第２伸縮部４の自由端である斜辺１５も、６０°に傾斜しているため、けこみ板取付溝７６への寸法合わせ時及び段板のカット時に作業が容易となる。後述する第３段６３及び中央段６４におけるけこみ板取付溝７６への寸法合わせに対しても同様に有効である。
【００２０】
次に、第３段６３については、図５（ロ）に示すように、段板配置が逆になるため、つまみねじ１１の突出し部分を調整する必要がある。段板定規１を分解し、角部２の表裏を逆とし、第１伸縮部３は第１伸縮摺動部８をそのまま装着し、第２伸縮部４は第２伸縮摺動部１３の両端を逆として使用する。このように組み変えた段板定規１を前述と同様に第３段６３の段板取付溝７２の中において、第１，第２伸縮部３，４を調整すれば、寸法調整が容易に終了し、取り出し後に重ね合わせてカットすれば、第３段の段板６３も簡単に出来上がる。
【００２１】
最後の中央段６４については、図５（ハ）に示すように、第２実施形態の段板定規２１を使用するが、基本的な使用方法は前述の段板定規１と同様である。即ち、第１，第２，第３伸縮部２４，２５，２６を伸縮させて寸法調整を行い、第１角部２２の直角、第２角部２３の１２０°，第１，第２，第３伸縮辺３５，３６，４１によって形成される四角形を、設置される段板６４と同寸法にして寸法調整が容易に終了し、カット前の段板に重ね合わせて、割り出し及びカットすれば、中央段の段板６４が簡単に出来上がる。以上の各動作では、特に熟練を要することもない。
【００２２】
次に、請求項１又は３に対応する他の実施形態は、上述の第１，第２実施形態に対して、係止部材の係止機構又は各伸縮基部７等と各伸縮摺動部８等との係合機構として他の技術を利用する構成である。先ず係止部材の係止機構について説明する。上述第１実施形態のつまみねじ１１等のつまみ部分が突き出ている機構でなく、例えば、図６（イ）に示すように、レバー・カム式で内部に収納されて表面が面一となる機構である。伸縮摺動部８に軸支されるレバー４２が揺動され、レバー４２根元部分のカム面４３の上下差によって各伸縮基部７等を押圧して係止する。この係止機構であれば、つまみ部分といった突き出し部分がなくなり、第１段６２の使用後に、第３段６３に対して使用する時でも、段板定規１全体の表裏を逆にするだけで対応でき、第２伸縮摺動部１３を入れ替える必要が無くなる。他の例としては、図６（ロ）に示すように、各伸縮摺動部８等内に板ばね４４を設け、板ばね４４の撓み力によって各伸縮基部７等の任意位置において係止させる機構である。板ばね４４のばね定数，配設位置及び数量（例えば、両側に複数個）等を適宜選択してセット力を調整することで、各伸縮摺動部８等の最適の摺動状態を確保できる。
【００２３】
また、各伸縮基部７等と各伸縮摺動部８等との係合機構についても、各伸縮基部７等の外周を角筒状の各伸縮摺動部８等を摺動させる以外の係合機構が採用できる。例えば、図６（ハ），（ニ）に示すように、伸縮基部４５と伸縮摺動部４６とが、一方を溝構造として他方をその中で摺動可能とする凹凸係合機構とされ、全体の断面形が、段板厚さより薄い長方形に形成される。図６（ハ），（ニ）中の符号１１は、係止部材の一例のつまみねじである。その他、周知の各種係合形態も採用できる。なお、第１伸縮部３等が、上述の第１，第２実施形態の長板状の長尺体に限定されずに、伸縮自在な長尺体であれば、円筒状等の他の形態でも可能である。
【００２４】
上述は９０°の回り階段について述べたが、１８０°等の他の方向変換については、９０°を２倍等して対応するため、３等分階段であれば上述の第１，第２実施形態の段板定規１，２１にて対応できる。また、上述の実施形態は右回りの階段であるが、左回りの階段であっても、上述の第１実施形態の第１段６２と第３段６３とで段板定規１，２１の表裏を逆にした対応と同様にして対応できる。
【００２５】
次に、９０°回り階段において、３等分割の３段以外である４等分割の４段，５等分割の５段などになった場合、上述の角部２、第２角部２３の角度ａ，ｂが、直角と１２０°では対応できない状態となる。このため、３段以外の場合の角度ａ，ｂの一般式を求めてみる。ここで、図７（イ）に示す４等分割の４段の段板４７ａ〜ｄ、図７（ロ）に示す５等分割の５段の段板４８ａ〜ｅ、の各平面図を参考にする。
【００２６】
先ず、請求項５に対応する平面形状三角形の段板については、９０°Ｎ等分のＮ段とすると、Ｎ＝偶数では全部の段板４７ａ〜ｄ、奇数では中央段以外の段板４８ａ〜ｄが三角形となる。また、中央に対して対称形状となるため、Ｎ／２段分求めればよいことになる。ｎ段目のａ°（図７参照）について図７中の三角形の内角の関係から、次の関係式が得られる。
ａ＝９０（ｎ−１）／Ｎ＋９０、但しＮ，ｎは整数であり、ｎ≦Ｎ／２
この結果、
（１）３段であれば、Ｎ＝３、第１段目はｎ＝１にて  ａ＝９０°・・第３段目は対称形状となる。
（２）４段であれば、Ｎ＝４、第１段目はｎ＝１にて  ａ＝９０°、第２段目はｎ＝２にて  ａ＝１１２．５°・・第３段目と第４段目は対称形状となる。
（３）５段であれば、Ｎ＝５、第１段目はｎ＝１にて  ａ＝９０°、第２段目はｎ＝２にて  ａ＝１０８°・・第４段目と第５段目は対称形状となる。
また、第２伸縮摺動部１３の斜辺１５の角度６０°についても、３等分割以外では異なる。この角度をｄ°とすると、参考として、次の関係式が得られる。
ｄ＝９０−（９０ｎ／Ｎ）、但しＮ，ｎは整数であり、ｎ≦Ｎ／２
【００２７】
次に、請求項６に対応する平面形状四角形の段板については、９０°Ｎ等分のＮ段とすると、Ｎ＝奇数の場合の中央段４８ｅのみが四角形となる。
この中央段４８ｅの内角は、回り階段の外角部分のｃ＝直角、対称位置のｂ°及び９０°／Ｎの四つの角度となり、図７（ロ）に示す中央段四角形４８ｅの内角の関係から、次の関係式が得られる。
ｂ＝１３５−（４５／Ｎ）  、但しＮは整数かつ奇数であり、３≦Ｎ
この結果、３段であれば、Ｎ＝３、ｂ＝１２０°
５段であれば、Ｎ＝５、ｂ＝１２６°となる。
また、第２伸縮摺動部３４の斜辺３７の角度は、中央段が対称形状であるため角度ｂと同じになる。なお、第１角部２２の角度ｃについては、回り階段の外角部分に相当するため、常に直角となる。
【００２８】
なお、一般住宅では階段幅が最大でも１ｍ程度であり、建築基準法施行令による規制によって、段数が多い回り階段では踏づら寸法が問題となり、９０°の回り階段では３段又は４段程度が限度となる。しかし、階段幅が大きくなれば、踏づら寸法も大きくなって、この規制をクリアできる可能性もある。このような場合に、任意段数に必要とする角度ａ，ｂを一般式によって簡単に求めることができる。
【００２９】
次に、請求項７，８に対応する第３実施形態の段板定規は、請求項１乃至４の各実施形態に対して、角部及び第２角部を固定式でなく可変式の可変角部５１としたものである。この可変式の可変角部５１は、図８に示すように、端部を重ねて角度ａを形成する上板５２，下板５３、凹凸係合して相互に摺動可能な上円弧５４，下円弧５５によって構成される。上板５２と下板５３とを合わせた厚さは、段板厚さより薄くなっている。また、上板５２は上円弧５４と一体となっており、下板５３は下円弧５５と一体となっている。上板５２の外側辺が第２外辺５７となり、下板５３の外側辺が第１外辺５６であり、この第１，第２外辺５６，５７によって角度ａが形成され、両辺の交点が角度ａの中心点５８となる。この中心点５８が、同時に上，下円弧５４，５５の摺動円弧の回転中心となるように、上，下円弧５４，５５の位置及び円弧半径が決定されている。なお、図８中符号７，１２は第１，第２伸縮基部、８，１３は第１，第２伸縮摺動部である。
【００３０】
前述の構成であれば、上，下円弧５４，５５が相互に摺動されると、図９（イ）に示すように、中心点５８が定点となって、角度ａを任意角度に拡げることができる。上述の一般式からも判るように、拡げて必要とする角度は９０°以上になるため、上述の構成が特に有効である。角度ａの固定手段としては、図９（ロ）に示すように、つまみねじ１１によって上，下円弧５４，５５を係止して、角度固定する。固定手段は、このつまみねじ１１に限定されることなく各種技術を採用できる。上，下円弧５４，５５に目盛りを付けることで、容易に角度ａを設定することができる。また、ストッパを設け、例えば、上板５２と下板５３をすぼめると角度ａが９０°となり、逆に拡げると１２０°になるといった構成とすることもできる。このように可変角部５１の角度ａが可変にできると、固定角度の異なる角部を多数用意する必要がなくなり、必要最小限の数量にて対応可能となる。また、回り階段を等分割されずに、上述の一般式が使用できずに、角度ａが変則角度になった場合でも、現場の実測角度に簡単かつ正確に合わせることができる。
【００３１】
【発明の効果】
以上のように請求項１乃至４の段板定規であれば、熟練度の有無に関わらず設置する段板の寸法を迅速，簡単，正確に調整し、段板に簡便に割り出しでき、材料を浪費せず省資源を実行できる。また、請求項５，６の段板定規であれば、３段以外の段数の回り階段に対しても使用できる。そして、請求項７，８の段板定規であれば、角度を可変として少ない構成部品でも多種多様の角度に対応できる。
【図面の簡単な説明】
【図１】第１実施形態の段板定規の概要平面図である。
【図２】イは図１のＡ−Ａ断面図であり、ロはイのＢ−Ｂ断面図である。
【図３】９０°３等分割の右回り階段の概略平面図である。
【図４】第２実施形態の段板定規の概要平面図である。
【図５】イは第１実施形態の段板定規を３段回り階段の第１段に使用する説明図であり、ロは第１実施形態の段板定規を３段回り階段の第３段に使用する説明図であり、ハは第２実施形態の段板定規を３段回り階段の中央段に使用する説明図である。
【図６】イ，ロは他実施形態の係止部材の要部断面図であり、ハ，ニは他実施形態の伸縮基部と伸縮摺動部との係合機構の要部断面図である。
【図７】イは９０°４等分割の４段回り階段の概略平面図であり、ロは９０°５等分割の５段回り階段の概略平面図である。
【図８】第３実施形態の段板定規の可変角部の平面図である。
【図９】イは角度を拡げた可変角部の平面図であり、ロは上，下円弧の要部断面図である。
【図１０】９０°３等分割の右回り階段の段板設置前の概要斜視図である。
【符号の説明】
１，２１  段板定規  ２  角部  ２２  第１角部  ２３  第２角部  ３，２４  第１伸縮部  ４，２５  第２伸縮部  ５，２７  第１外辺  ６，２８  第２外辺７，３１  第１伸縮基部  ８，３２  第１伸縮摺動部  ８ａ，３２ａ  調整辺９，３５  第１伸縮辺  １０  貫通雌ねじ部  １１  つまみねじ  １２，３３第２伸縮基部  １３，３４  第２伸縮摺動部  １４，３６  第２伸縮辺  １５，３７  斜辺  ２６  第３伸縮部  ３８  伸縮上基部  ３９  伸縮下基部  ４０第３伸縮摺動部  ４１  第３伸縮辺  ４２  レバー  ４３  カム面  ４４  板ばね  ４５  伸縮基部  ４６  伸縮摺動部  ４７  ４等分割段板  ４８  ５等分割段板  ５１  可変角部  ５２  上板  ５３  下板  ５４  上円弧  ５５  下円弧  ５６  第１外辺  ５７  第２外辺  ５８  中心  ６１  ３等分割回り階段  ６２  第１段  ６３  第３段  ６４  中央段  ７２  段板取付溝  ７３  柱  ７４  側板  ７５  型板  ７６  けこみ板取付溝
【図１】
2004316376.tif 000003
【図２】
2004316376.tif 000004
【図３】
2004316376.tif 000005
【図４】
2004316376.tif 000006
【図５】
2004316376.tif 000007
【図６】
2004316376.tif 000008
【図７】
2004316376.tif 000009
【図８】
2004316376.tif 000010
【図９】
2004316376.tif 000011
【図１０】
2004316376.tif 000012